(57)【要約】【課題】妨害波の影響を適切に除去し、希望波成分の抽出を可能とする直交同期検波器、直交同期検波器を使用したレイク受信器、干渉波キャンセラ、およびインピーダンス測定器を提供すること。【解決手段】希望波と１波以上の妨害波が混在する入力信号から希望波の同相軸成分および直交軸成分の基準信号を生成するための直交同期検波を行う直交同期検波器１００において、妨害波のレベルおよび妨害波の遅延時間に関する情報に基づいて、直交同期検波によって生成される同相軸成分および直交軸成分の基準信号における、妨害波による位相回転量を算出する手段１０４と、妨害波が含まれないときに直交同期検波によって生成される同相軸成分および直交軸成分の基準信号になるように、直交同期検波によって生成される同相軸成分および直交軸成分の基準信号を制御する手段１０１、１０２、１０６とを備えた構成を有するものである。【選択図】　図１
2004064682.tif 000002
【特許請求の範囲】
【請求項１】
希望波と少なくとも１波以上の妨害波が混在する入力信号から前記希望波の同相軸成分および直交軸成分の基準信号を生成するための直交同期検波を行う直交同期検波器において、トレーニング信号および遅延プロファイルを含む前記妨害波のレベルと遅延時間を得るための信号を使用して得られた前記妨害波のレベルおよび前記妨害波の遅延時間に関する情報に基づいて、前記直交同期検波によって生成される前記同相軸成分および前記直交軸成分の基準信号における、前記妨害波による位相回転量を算出する手段と、前記妨害波が含まれないときに前記直交同期検波によって生成される前記同相軸成分および前記直交軸成分の基準信号になるように、前記直交同期検波によって生成される前記同相軸成分および前記直交軸成分の基準信号を制御する手段とを備え、前記基準信号を制御する手段は、前記基準信号の制御を行うために、前記直交同期検波によって生成される前記同相軸成分および前記直交軸成分の基準信号を生成する位相同期ループを有し、前記位相同期ループは、前記基準信号を発生する周波数発振器と、前記妨害波による位相回転量を記憶するメモリと、前記記憶した位相回転量に基づいて前記妨害波の位相を前記希望波の位相と直交するように前記周波数発振器を制御することにより、前記各妨害波により発生する前記同相軸成分および前記直交軸成分の基準信号の回転を除去する手段とを含むことを特徴とする直交同期検波器。
【請求項２】
前記位相同期ループは、さらに前記妨害波のレベルが所定値以内か否かを判断し、前記メモリを制御する判定制御手段を含み、前記判定制御手段は、前記妨害波のレベルが所定値以内と判断した場合は、前記妨害波による位相回転量を前記メモリに記憶させ、前記妨害波のレベルが所定値を超えると判断した場合は、前記妨害波による位相回転量を前記メモリに記憶させ内容に制御することを特徴とする請求項１記載の直交同期検波器。
【請求項３】
前記直交同期検波器は、さらに同一チャネル妨害波およびフェージングにより発生する妨害波を含む妨害波によって生じる前記同相軸成分および前記直交軸成分の位相回転、またはドップラーシフトを含む位相回転要因の発生によって生ずる位相回転、の影響を受けた信号を発生する第２の周波数発振器と、前記位相同期ループに含まれる周波数発振器が発生させる信号の位相と前記第２の周波数発振器が発生させる信号の位相との位相差を検出する手段と、前記第２の周波数発振器が発生する信号であって、前記妨害波または前記ドップラーシフトを含む位相回転要因の影響を受けた信号の位相から前記位相差を検出する手段が検出した位相差を除去するように補正する手段を備えたことを特徴とする請求項１または２記載の直交同期検波器。
【請求項４】
希望波と少なくとも１波以上の妨害波が混在する信号を入力とし、前記希望波に前記各妨害波を同位相で加算するレイク受信器において、請求項１または２に記載の直交同期検波器と、前記入力された信号を遅延させる１または複数の遅延タップと、前記各遅延タップを通過した各受信信号に前記直交同期検波器によって生成された直交同期検波後の前記同相軸成分および前記直交軸成分の基準信号を乗算する手段と、前記乗算する手段によって前記各遅延タップを通過した各受信信号を同相軸成分と直交軸成分の信号とに分離する手段とを備えたことを特徴とするレイク受信器。
【請求項５】
希望波と少なくとも１波以上の妨害波が混在する入力信号から前記希望波を抽出するための干渉波キャンセラにおいて、請求項１または２に記載の直交同期検波器と、前記直交同期検波器における直交同期検波によって生成される前記妨害波による位相誤差信号と周波数誤差信号とに基づいて前記妨害波を再生する手段と、前記妨害波を再生する手段によって再生された妨害波を前記希望波と前記各妨害波とが混在する入力信号から除去する手段とを備えたことを特徴とする干渉波キヤンセラ。
【請求項６】
妨害信号が生ずることがある被測定物のインピーダンスを測定するためのインピーダンス測定器において、測定用信号を発生する信号発生手段と、前記信号発生手段が発生する前記測定用信号を入力とし、前記被測定物が接続されたときに得られる不平衡信号を生成するブリッジと、前記ブリッジによって生成された不平衡信号を入力とする請求項１または２に記載の直交同期検波器とを備え、前記直交同期検波器は、前記直交同期検波器に入力される信号の位相と前記直交同期検波によって生成される基準信号の位相との位相差に関する情報を前記信号発生手段に供給し、前記信号発生手段は、前記位相差に関する情報に基づいて前記直交同期検波器に入力される信号の位相と前記直交同期検波によって生成される前記基準信号の位相とが一致するように前記測定用信号の位相を制御し、前記直交同期検波器は、前記直交同期検波によって得られた直交軸信号成分を検出信号として出力することを特徴とするインピーダンス測定器。
【請求項７】
前記ブリッジは、前記直交同期検器によって出力された検出信号が所定値以下となるように前記ブリッジを構成するインピーダンスを変更することを特徴とする請求項６記載のインピーダンス測定器。
【請求項８】
前記被測定物は、所定のネットワークであり、インピーダンス測定に妨害を与える前記妨害信号を反射信号検出端子経由で検出し、前記測定用信号を進行信号端子に供給し、前記反射信号検出端子経由で検出されて前記直交同期検波器に入力され、前記直交同期検波器によって生成された前記直交軸成分の信号と、前記進行信号端子に供給された前記測定用信号とに基づいて反射係数を測定することを特徴とする請求項６記載のインピーダンス測定器。
【請求項９】
前記インピーダンス測定器は、前記測定用信号に妨害を与える妨害信号を被測定物接続端子経由で検出し、前記測定用信号が前記被測定物接続端子の一つの端子に接続され、前記被測定物接続端子の残りの端子に前記直交同期検波器が接続され、前記直交同期検波器による直交同期検波によって得られた直交軸成分の信号の振幅が所定値以下となるようにベクトル比検出を行うことを特徴とする請求項６記載のインピーダンス測定器。
【請求項１０】
前記インピーダンス測定器は、Ｉ−Ｖ法、およびＲＦ−ＩＶ法に基づいてインピーダンスを測定し、前記測定用信号に妨害を与える前記妨害信号を前記被測定物接続端子で検出し、前記測定用信号を電流または電圧検出用抵抗に接続し、電流計電圧計端子の各々に前記直交同期検波器を接続し、前記各直交同期検波器によって得られる直交軸成分の信号を電圧計および電流計に出力することにより、前記測定用信号の電圧または電流を検出することを特徴とする請求項６記載のインピーダンス測定器。
【請求項１１】
前記インピーダンス測定器は、さらに、前記測定用信号に妨害を与える前記妨害信号のキャリア周波数とキャリア位相を再生するための周波数および位相を検出し、検出した妨害信号に基づいて検出した妨害信号を復調して再変調した信号を減算することにより、変調成分を除去する手段を備えたことを特徴とする請求項６から１０のいずれか１項に記載のインピーダンス測定器。
【請求項１２】
前記インピーダンス測定器は、さらに、前記妨害信号に基づいて前記妨害信号を復調して再変調した信号を減算することによって変調成分を除去し、前記変調成分を除去した後の信号を測定用信号とすることを特徴とする請求項６から１１のいずれか１項に記載のインピーダンス測定器。
【請求項１３】
前記インピーダンス測定器は、前記妨害信号を測定回路、または空中線とは別の回路、または空中線により取り出すことを特徴とする請求項６から１２のいずれか１項に記載のインピーダンス測定器。
【請求項１４】
前記インピーダンス測定器は、放送波へ与える妨害を軽減するため、前記測定用信号が妨害を与える周波数成分中に放送内容に応じて前記周波数成分を含む信号を発生し、前記測定用信号が妨害を与える影響を軽減することを特徴とする請求項６から１３のいずれか１項に記載のインピーダンス測定器。
【請求項１５】
前記インピーダンス測定器は、さらに、指定した周波数幅を指定した間隔で測定周波数を掃引させる手段を備え、インピーダンス測定によって得られる結果を画面表示、保存、または印字出力することを特徴とする請求項６から１４のいずれか１項に記載のインピーダンス測定器。
【発明の詳細な説明】
【０００１】
【発明の属する技術分野】
本発明は，直交同期検波器、直交同期検波器を使用したレイク受信器、干渉波キャンセラ、およびインピーダンス測定器に関し、特に希望波のほかに１波以上の妨害波が存在する場合の直交同期検波器、直交同期検波器を使用したレイク受信器、干渉波キャンセラ、およびインピーダンス測定器に関する。
【０００２】
【従来の技術】
従来の直交同期検波器は、例えば、（参考文献１）畑著、「ＰＬＬ−ＩＣの使い方」、秋葉出版、１９８６年２月、１５７頁に開示された、ディジタルＰＬＬ（Ｐｈａｓｅ−Ｌｏｃｋｅｄ　Ｌｏｏｐ）を位相同期ループに使用した直交同期検波器がある。また、従来のレイク受信器は、例えば、（参考文献２）ジョン　ピー　プローキス著、「ディジタル通信」マグローヒル、１９８９、７３９頁（Ｊｏｈｎ　Ｇ．　Ｐｒｏａｋｉｓ，”ＤＩＧＩＴＡＬＣＯＭＭＵＮＩＣＡＴＩＯＮＳ”，ＭｃＧｒａｗ−Ｈｉ１１，１９８９，Ｐ７３９）に開示された、相関器と二乗回路とを構成手段に含むレイク受信器がある。また、従来のインピーダンス測定器は、例えば、（参考文献３）上中田、星野著、「外来電波がある場合の空中線定数測定」、ＮＨＫ技研研究、第１７巻、第５号、ＰＰ３６−４３に示す相関器と二乗回路によるインピーダンス測定器がある。
【０００３】
【発明が解決しようとする課題】
しかしながら、従来の直交同期検波器は、入力信号に希望波の他に妨害波が存在する場合、例えば、（参考文献４）都竹、他著、「遅延波がＯＦＤＭ伝送に与える影響」、映像メディア学会誌５１巻、９号、１４９３−１５０３頁、１９９７年に開示されたように、直交同期検波器の同相軸、直交軸の基準信号位相が回転する問題がある。
また、一般に広く知られているように、位相同期ループは、応答時間を高速にするとループ利得を高くできず、逆にループ利得を高くすると応答時間を高速にできないという問題がある。
【０００４】
また、従来の直交同期検波器は、例えば、（参考文献５）笹岡著、「移動通信」、オーム社、平成１１年３月、２７８−２７９頁に開示されたように、遅延プロファイルがトレーニング信号の挿入間隔で検出されるため、トレーニング信号の挿入間隔の途中では、最新の検出した遅延プロファイルを固定値として使用するため、ドップラーシフトで発生する基準位相回転、および周波数選択性フェージングで発生する基準位相回転に対し、トレーニング信号の挿入間隔の途中には対応できない問題がある。
【０００５】
次に従来のレイク受信器は、参考文献２に示すように、直交同期検波器の同相軸、直交軸の基準信号位相が回転するため、相関器と二乗回路による信号処理が必要であり、相関器は、相関を検出する時間幅の問題、二乗回路は、大きなダイナミックレンジを必要とするという問題がある。
相関器の相関を検出する時間幅の問題は、例えば変調信号をｃｏｓ（２πｆ　ｔ）とした相関器では、例えば時間幅−ｎ／ｆ　〜＋ｎ／ｆの時間における相関を算出するため、
【数１】
2004064682.tif 000003
の演算を行い、時間幅ｎ（ｎは実数）の設定により相関器出力の値は変化する。このため、相関器を通過した信号は、相関を検出するための時間幅に起因する誤差が生じるという問題がある。
【０００６】
また、二乗回路のダイナミックレンジは、雑音などにより、二乗回路の入力レベルが設定値より高くなる場合は、ダイナミックレンジが不足し、二乗回路を通過した信号は、二乗回路入力レベルに起因する誤差が生じ、歪の発生や誤り特性の劣化が生じるという問題がある。
【０００７】
上記に加え、参考文献２に示した従来のレイク受信器は、妨害となるレイリーフエージング波を二乗するため、各レイリーフエージング波の遅延時間が希望波の遅延時間に一致していない状態では、妨害波となるレイリーフエージング波は希望波に対し相関の低い雑音となるため、希望波信号の抽出や希望波信号の周波数再生、位相再生の誤差は、妨害波となるレイリーフエージング波の電力に依存するという問題がある。
【０００８】
また、参考文献３に示した従来のインピーダンス測定器においても、同様に相関器と二乗回路を使用しているため、上記と同様の問題がある。
相関器を通過した測定信号は、相関を検出するための時間幅に起因する測定誤差が生じる。
【０００９】
また、二乗回路のダイナミックレンジの問題点は、例えば参考文献３を例にした場合、平衡点以外での測定信号レベルをｖ１、平衡点での測定信号レベルをｖ２とすると、二乗回路のダイナミックレンジはｖ１２−ｖ２２＝（ｖｌ＋ｖ２）（ｖ１−ｖ２）となり、二乗回路を使用しない場合に必要なダイナミックレンジはｖｌ−Ｖ２であるため、二乗回路によりｖｌ＋ｖ２倍のダイナミックレンジが必要となる。このため、雑音などにより、二乗回路の入力レベルが設定値より高くなる場合は、ダイナミックレンジが不足し、二乗回路を通過した信号は、二乗回路入力レベルに起因する誤差が生じるという問題がある。
【００１０】
上記に加え、参考文献３に示した従来のインピーダンス測定器は、同文献の記載のとおり、測定信号レベルは到来外来波の信号レベルにより決定されるため、到来外来波の信号レベルが高くなれば、必要な測定信号レベルも高くしなければならないという問題点がある。
【００１１】
本発明は、かかる問題を解決するためになされたものであり、その目的は、妨害波の影響を適切に除去し、希望波成分の抽出を可能とする直交同期検波器、直交同期検波器を使用したレイク受信器、干渉波キャンセラ、およびインピーダンス測定器を提供することにある。
【００１２】
【課題を解決するための手段】
そこで、本発明では下記の手段を用いることにより、上記問題を解決している。
本発明による直交同期検波器は、トレーニング信号、遅延プロファイルなどの妨害波のレベルと遅延時間を得るための信号を使用して得た妨害波レベルと妨害波の遅延時間から妨害波による直交同期検波器の同相軸、直交軸の位相回転量を算出し、妨害がない時の直交同期検波器の同相軸、直交軸の基準信号になるように直交同期検波器の同相軸、直交軸の基準信号制御をすることにより、妨害波による同相軸、直交軸の位相回転の影響をなくしている。
この基準信号制御を行う手段として、本発明は、直交同期検波の同相軸、直交軸の基準信号を生成する位相同期ループにおいて、妨害波による位相回転量を記憶するし、記憶した位相回転量を希望波と直交するように制御する手段、または妨害波が存在しない時点における位相同期ループにより制御する周波数発振器の位相を記憶し、妨害波が存在する時点では同周波数発振器の位相制御を行わない手段を用いている。
【００１３】
また、請求項２に係る発明は、請求項１において、前記位相同期ループは、さらに前記妨害波のレベルが所定値以内か否かを判断し、前記メモリを制御する判定制御手段を含み、前記判定制御手段は、前記妨害波のレベルが所定値以内と判断した場合は、前記妨害波による位相回転量を前記メモリに記憶させ、前記妨害波のレベルが所定値を超えると判断した場合は、前記妨害波による位相回転量を前記メモリに記憶させ内容に制御する構成を有している。
【００１４】
また、請求項３に係る発明は、請求項１または２において、前記直交同期検波器は、さらに同一チャネル妨害波およびフェージングにより発生する妨害波を含む妨害波によって生じる前記同相軸成分および前記直交軸成分の位相回転、またはドップラーシフトを含む位相回転要因の発生によって生ずる位相回転の影響を受けた信号を発生する第２の周波数発振器と、前記位相同期ループに含まれる周波数発振器が発生させる信号の位相と前記第２の周波数発振器が発生させる信号の位相との位相差を検出する手段と、前記第２の周波数発振器が発生する信号であって、前記妨害波または前記ドップラーシフトを含む位相回転要因の影響を受けた信号の位相から前記位相差を検出する手段が検出した位相差を除去するように補正する手段を備えた構成を有している。
【００１５】
また、請求項４に係る発明は、希望波と少なくとも１波以上の妨害波が混在する信号を入力とし、前記希望波に前記各妨害波を同位相で加算するレイク受信器において、請求項１または２に記載の直交同期検波器と、前記入力された信号を遅延させる１または複数の遅延タップと、前記各遅延タップを通過した各受信信号に前記直交同期検波器によって生成された直交同期検波後の前記同相軸成分および前記直交軸成分の基準信号を乗算する手段と、前記乗算する手段によって前記各遅延タップを通過した各受信信号を同相軸成分と直交軸成分の信号とに分離する手段とを備えた構成を有している。
【００１６】
また、請求項５に係る発明は、希望波と少なくとも１波以上の妨害波が混在する入力信号から前記希望波を抽出するための干渉波キャンセラにおいて、請求項１または２に記載の直交同期検波器と、前記直交同期検波器における直交同期検波によって生成される前記妨害波による位相誤差信号と周波数誤差信号とに基づいて前記妨害波を再生する手段と、前記妨害波を再生する手段によって再生された妨害波を前記希望波と前記各妨害波とが混在する入力信号から除去する手段とを備えた構成を有している。
【００１７】
また、請求項６に係る発明は、妨害信号が生ずることがある被測定物のインピーダンスを測定するためのインピーダンス測定器において、測定用信号を発生する信号発生手段と、前記信号発生手段が発生する前記測定用信号を入力とし、前記被測定物が接続されたときに得られる不平衡信号を生成するブリッジと、前記ブリッジによって生成された不平衡信号を入力とする請求項１または２に記載の直交同期検波器とを備え、前記直交同期検波器は、前記直交同期検波器に入力される信号の位相と前記直交同期検波によって生成される基準信号の位相との位相差に関する情報を前記信号発生手段に供給し、前記信号発生手段は、前記位相差に関する情報に基づいて前記直交同期検波器に入力される信号の位相と前記直交同期検波によって生成される前記基準信号の位相とが一致するように前記測定用信号の位相を制御し、前記直交同期検波器は、前記直交同期検波によって得られた直交軸信号成分を検出信号として出力する構成を有している。
【００１８】
また、請求項７に係る発明は、請求項６において、前記ブリッジは、前記直交同期検器によって出力された検出信号が所定値以下となるように前記ブリッジを構成するインピーダンスを変更する構成を有している。
【００１９】
また、請求項８に係る発明は、請求項６において、前記被測定物は、所定のネットワークであり、インピーダンス測定に妨害を与える前記妨害信号を反射信号検出端子経由で検出し、前記測定用信号を進行信号端子に供給し、前記反射信号検出端子経由で検出されて前記直交同期検波器に入力され、前記直交同期検波器によって生成された前記直交軸成分の信号と、前記進行信号端子に供給された前記測定用信号とに基づいて反射係数を測定する構成を有している。
【００２０】
また、請求項９に係る発明は、請求項６において、前記インピーダンス測定器は、前記測定用信号に妨害を与える妨害信号を被測定物接続端子経由で検出し、前記測定用信号が前記被測定物接続端子の一つの端子に接続され、前記被測定物接続端子の残りの端子に前記直交同期検波器が接続され、前記直交同期検波器による直交同期検波によって得られた直交軸成分の信号の振幅が所定値以下となるようにベクトル比検出を行う構成を有している。
【００２１】
また、請求項１０に係る発明は、請求項６において、前記インピーダンス測定器は、Ｉ−Ｖ法、およびＲＦ−ＩＶ法に基づいてインピーダンスを測定し、前記測定用信号に妨害を与える前記妨害信号を前記被測定物接続端子で検出し、前記測定用信号を電流または電圧検出用抵抗に接続し、電流計電圧計端子の各々に前記直交同期検波器を接続し、前記各直交同期検波器によって得られる直交軸成分の信号を電圧計および電流計に出力することにより、前記測定用信号の電圧または電流を検出する構成を有している。
【００２２】
また、請求項１１に係る発明は、請求項６から１０のいずれかにおいて、前記インピーダンス測定器は、さらに、前記測定用信号に妨害を与える前記妨害信号のキャリア周波数とキャリア位相を再生するための周波数および位相を検出し、検出した妨害信号に基づいて検出した妨害信号を復調して再変調した信号を減算することにより、変調成分を除去する手段を備えた構成を有している。
【００２３】
また、請求項１２に係る発明は、請求項６から１１のいずれかにおいて、前記インピーダンス測定器は、さらに、前記妨害信号に基づいて前記妨害信号を復調して再変調した信号を減算することによって変調成分を除去し、前記変調成分を除去した後の信号を測定用信号とする構成を有している。
【００２４】
また、請求項１３に係る発明は、請求項６から１２のいずれかにおいて、前記インピーダンス測定器は、前記妨害信号を測定回路、または空中線とは別の回路、または空中線により取り出す構成を有している。
【００２５】
また、請求項１４に係る発明は、請求項６から１３のいずれかにおいて、前記インピーダンス測定器は、放送波へ与える妨害を軽減するため、前記測定用信号が妨害を与える周波数成分中に放送内容に応じて前記周波数成分を含む信号を発生し、前記測定用信号が妨害を与える影響を軽減する構成を有している。
【００２６】
また、請求項１５に係る発明は、請求項６から１４のいずれかにおいて、前記インピーダンス測定器は、さらに、指定した周波数幅を指定した間隔で測定周波数を掃引させる手段を備え、インピーダンス測定によって得られる結果を画面表示、保存、または印字出力する構成を有している。
【００２７】
【発明の実施の形態】
以下、図面を参照して本発明の実施の形態について詳細に説明する。
図１は、本発明の第１の実施の形態に係る直交同期検波器のブロック構成を示す図である。図１において、直交同期検波器１００は、位相検出手段１０１、第１のメモリ１０２、遅延プロファイル検出手段１０３、位相回転量算出手段１０４、第２のメモリ１０５、および減算器１０６によって構成される。入力信号は、図１の左側から入力される。
【００２８】
位相検出手段１０１は、希望波と妨害波が混在する入力信号において、希望波と妨害波が混在した状態の位相を検出し、第１のメモリ１０２に出力する手段である。
第１のメモリ１０２は、位相検出手段１０１によって出力された位相の情報を記憶し、減算器１０６に出力する手段である。
遅延プロファイル検出手段１０３は、希望波と妨害波が混在する入力信号に基づいて妨害波レベルと妨害波の遅延時間を検出し、検出した妨害波レベルと妨害波の遅延時間の情報を位相回転量算出手段１０４に出力するための手段である。
【００２９】
位相回転量算出手段１０４は、遅延プロファイル検出手段１０３によって出力された妨害波レベルと妨害波の遅延時間の情報に基づいて妨害波による直交同期検波器の同相軸、直交軸の基準信号の位相回転量を算出し、同相軸および直交軸の基準信号の位相回転量に関する情報を第２のメモリ１０５に出力する手段である。
第２のメモリ１０５は、位相回転量算出手段１０４によって出力された同相軸および直交軸の基準信号の位相回転量に関する情報を記憶し、減算器１０６に出力する手段である。
【００３０】
減算器１０６は、第１のメモリ１０２に記憶された希望波と妨害波が混在する入力信号の位相から第２のメモリ１０５に記憶された位相回転量を差し引き、差し引いて得られた情報を出力する手段である。
したがって、本発明の第１の実施の形態に係る直交同期検波器１００は、図２に示すように、妨害波による直交同期検波器の基準信号の回転φを検出してキャンセルすることにより、妨害波がない（希望波のみの）直交同期検波器の基準信号を得ることができる。
【００３１】
図３は、本発明の第２の実施の形態に係る直交同期検波器のブロック構成を示す図である。図３において、直交同期検波器３００は、遅延プロファイル検出手段１０３、位相回転量算出手段１０４、位相回転手段３０２、第２のメモリ１０５、および加算器３０４によって構成される。入力信号は、図３の左側から入力される。
【００３２】
ここで、本発明の第２の実施の形態に係る直交同期検波器３００を構成する構成手段のうち、上記本発明の第１の実施の形態に係る直交同期検波器１００における構成手段と同様の処理を行うものには同一の符号を付し、その説明を省略する。
【００３３】
位相回転手段３０２は、加算器３０４で加算された信号が希望波と直交するように位相回転量算出手段１０４で算出された同相軸、直交軸の基準信号の位相回転を制御させメモリ１０５へ出力するための手段である。
これにより、図４に示すように妨害波を希望波と直交させることにより、妨害波による直交同期検波器の位相回転を微小にすることができる。
【００３４】
図５は、本発明の第３の実施の形態に係る直交同期検波器のブロック構成を示す図である。図５において、直交同期検波器５００は、位相検出手段１０１、メモリ５０２、遅延プロファイル検出手段１０３、妨害量算出手段５０４、および判定器５０５によって構成される。入力信号は、図５の左側から入力される。
ここで、本発明の第３の実施の形態に係る直交同期検波器５００を構成する構成手段のうち、上記本発明の第１の実施の形態に係る直交同期検波器１００における構成手段と同様の処理を行うものには同一の符号を付し、その説明を省略する。
【００３５】
メモリ５０２は、判定器５０５の制御の下、位相検出手段１０１によって出力された位相の情報を記憶し、直交同期検波器５００の外部の装置に出力する手段である。
妨害量算出手段５０４は、遅延プロファイル検出手段１０３によって出力された妨害波レベルと妨害波の遅延時間の情報に基づいて、妨害波による妨害量を算出し、算出した妨害量に関する情報を判定器５０５に出力するための手段である。
【００３６】
判定器５０５は、妨害量算出手段５０４によって出力された妨害波による妨害量に関する情報を入力とし、この情報に基づいて上記の妨害量が所定量か否かを判断し、妨害量が所定値以下の場合は位相検出手段１０１によって出力された位相の情報をメモリ５０２に記憶させ、妨害量が所定値を超える場合は位相検出手段１０１によって出力された位相の情報をメモリ５０２に記憶させないように制御する手段である。
【００３７】
したがって、本発明の第３の実施の形態に係る直交同期検波器５００は、図６に示すように、妨害波による基準信号の位相回転の影響が所定値以下の位相検出を行うことから、妨害波による直交同期検波器の基準信号の位相回転を微小にすることができる。
【００３８】
図７は、本発明の第４の実施の形態に係る直交同期検波器のブロック構成を示す図である。図７において、直交同期検波器７００は、位相同期ループ７０１、位相検出器７０２、メモリ７０３、第１の加算器７０４、第２の加算器７０５、９０度移相器７０６、第１の乗算器７０７、第２の乗算器７０８、第１の低域通過フィルタ（以下、ＬＰＦという。）７０９、および第２の低域通過フィルタ７１０によって構成される。入力信号は、図７の左側から入力される。
【００３９】
位相同期ループ７０１は、希望波と妨害波の混在した入力信号に同期させて得られる信号（以下、周波数信号という。）を発生させ、位相検出器７０２および第２の加算器７０５に出力する手段である。
位相検出器７０２は、位相同期ループ７０１によって出力された信号に基づいて、この出力信号の位相を検出し、検出した位相の情報をメモリ７０３に出力する手段である。
【００４０】
メモリ７０３は、位相検出器７０２によって出力された位相の情報を記憶し、第１の加算器７０４に出力する手段である。
第１の加算器７０４は、メモリ７０３に格納された位相の情報と、本発明の第１〜３の実施の形態において説明した装置構成によって得られた妨害波の影響のない位相の情報とを入力とし、メモリ７０３に格納された位相から妨害波の影響のない位相を差し引き、差し引いて得られた位相差に関する情報を第２の加算器７０５に出力するための手段である。したがって、第１の加算器７０４からの出力は、入力信号が妨害波によって位相回転した量に関する情報が出力される。
【００４１】
第２の加算器７０５は、位相同期ループ７０１によって出力された周波数信号と、第１の加算器７０４によって出力された位相回転量に関する情報とを入力とし、周波数信号の位相を上記位相回転量だけ引き戻し、希望波と同相の信号を生成し、９０度移相器７０６および第１の乗算器７０７に出力するための手段である。
【００４２】
第１の乗算器７０７は、希望波と妨害波の混在した入力信号と、第２の加算器７０５によって得られた希望波と同相の信号とを入力とを掛算し、掛算して得られた結果を第１のＬＰＦ７０９に出力するための手段である。
第１のＬＰＦ７０９は、第１の乗算器７０７によって出力された信号のうち、低周波成分を抽出して不図示の外部の装置に出力するための手段である。これにより同相軸成分の信号が得られる。
【００４３】
９０度移相器７０６は、入力された第２の加算器７０５によって得られた希望波と同相の信号の位相を９０°引き戻し、位相を引き戻して得られた信号を第２の乗算器７０８に出力するための手段である。
第２の乗算器７０８は、希望波と妨害波の混在した入力信号と、９０度移相器７０６によって位相が引き戻された信号とを入力とし、入力されたこれらの信号とを掛算し、掛算して得られた結果を第２のＬＰＦ７１０に出力するための手段である。
【００４４】
第２のＬＰＦ７１０は、第２の乗算器７０８によって出力された信号のうち、低周波成分を抽出して不図示の外部の装置に出力するための手段である。これにより直交軸成分の信号が得られる。
以上説明したように、本発明の第４の実施の形態に係る直交同期検波器は、希望波と位相同期した信号を生成できるため、妨害波による影響を排除した直交同期検波器を実現できる。
【００４５】
図８は、本発明の第５の実施の形態に係る直交同期検波器のブロック構成を示す図である。図８は図１に示した本発明による直交同期検波器の基準信号の周波数、位相を得る実施例を示している。図８において、直交同期検波器８００は、第１の周波数発振器８０１、第１の乗算器８０２、第２の周波数発振器８０３、９０度移相器８０４、第２の乗算器８０５、第３の乗算器８０６、第１の低域通過フィルタ（以下、ＬＰＦという。）８０７、第２の低域通過フィルタ８０８、第４の乗算器８０９、微分器８１０、第５の乗算器８１１、キャリア位相再生手段８１２、ローカル位相制御手段８１３、キャリア周波数再生手段８１４、およびローカル周波数制御手段８１５によって構成される。入力信号は、図５の左側から入力される。
【００４６】
第１の周波数発振器８０１は、ローカル位相制御手段８１３によって出力された信号と、ローカル周波数制御手段８１５によって出力された信号とを入力し、ローカル位相制御手段８１３によって出力された信号が有する位相と、ローカル周波数制御手段８１５によって出力された信号が有する周波数とを有する信号を発生し、発生させた信号を第１の乗算器８０２に出力する手段である。
【００４７】
第１の乗算器８０２は、希望波と妨害波が混在する入力信号と、第１の周波数発振器８０１によって出力された信号とを入力とし、入力されたこれらの信号を掛算し、掛算して得られた信号を第２の乗算器８０５および第３の乗算器８０６に出力する手段である。
【００４８】
第２の周波数発振器８０３は、ローカル位相制御手段８１３によって出力された信号と、ローカル周波数制御手段８１５によって出力された信号とを入力し、ローカル位相制御手段８１３によって出力された信号が有する位相と、ローカル周波数制御手段８１５によって出力された信号が有する周波数とを有する信号を発生し、発生させた信号を第１の９０度移相器８０４と第２の乗算器８０５とに出力する手段である。
【００４９】
第１の９０度移相器８０４は、第２の周波数発振器８０３によって出力された信号を入力とし、入力された信号の位相を９０度引き戻して第３の乗算器８０６に出力する手段である。
第２の乗算器８０５は、第１の乗算器８０２によって出力された信号と、第２の周波数発振器８０３によって出力された信号とを入力とし、入力されたこれらの信号を掛算し、掛算して得られた信号を第１のＬＰＦ８０７に出力する手段である。
【００５０】
第３の乗算器８０６は、第１の乗算器８０２によって出力された信号と、９０度移相器８０４によって出力された信号とを入力とし、入力されたこれらの信号を掛算し、掛算して得られた信号を第２のＬＰＦ８０８に出力する手段である。第１のＬＰＦ８０７は、第２の乗算器８０５によって出力された信号を入力とし、入力された信号のうちの低周波数成分を第４の乗算器８０９および第１の微分器８１０に出力する手段である。
【００５１】
第２のＬＰＦ８０８は、第３の乗算器８０６によって出力された信号を入力とし、入力された信号のうちの低周波数成分を第４の乗算器８０９および第５の乗算器８１１に出力する手段である。
第４の乗算器８０９は、第１のＬＰＦ８０７によって出力された低周波数成分からなる信号と、第２のＬＰＦ８０８によって出力された低周波数成分からなる信号とを入力とし、入力されたこれらの信号を掛算し、掛算して得られた信号を位相制御信号（図８に、ＡＰＣとして示す。）として出力する手段である。
【００５２】
第１の微分器８１０は、第１のＬＰＦ８０７によって出力された低周波数成分からなる信号を入力とし、入力された信号を微分して位相の微係数に関する情報を含む信号を生成し、生成された信号を第５の乗算器８１１に出力する手段である。
第５の乗算器８１１は、第２のＬＰＦ８０８によって出力された信号と、第１の微分器８１０によって出力された位相の微係数に関する情報を含む信号とを入力とし、入力されたこれらの信号を掛算し、掛算して得られた信号を周波数制御信号（図８に、ＡＦＣとして示す。）として出力するための手段である。
【００５３】
キャリア位相再生手段８１２は、希望波と妨害波が混在する入力信号に基づいて、キャリアの位相を再生するための手段である。
ローカル位相制御手段８１３は、キャリア位相再生手段８１２によって出力された信号を入力とし、この信号の局所的な位相を調整し、第１の周波数発振器８０１および第２の周波数発振器８０３に出力するための手段である。
【００５４】
キャリア周波数再生手段８１４は、希望波と妨害波が混在する入力信号に基づいて、キャリアの周波数を再生するための手段である。
ローカル周波数制御手段８１５は、キャリア周波数再生手段８１４によって出力された信号を入力とし、この信号の局所的な周波数を調整し、第１の周波数発振器８０１および第２の周波数発振器８０３に出力するための手段である。
【００５５】
本発明による直交検波器の実施例と従来の技術との違いは、従来からのコスタスループの周波数発振器８０１、周波数発振器８０３を制御する方法にある。従来のコスタスループは乗算器８０９出力のＡＰＣ、乗算器８１１出力のＡＦＣの周波数発振器８０１、あるいは周波数発振器８０３にフィードバックすることにより基準信号の位相と周波数を得ている。本発明による直交同期検波器の実施例は、キャリア位相再生手段８１２で再生した希望波の位相をローカル位相制御手段８１３で制御量を調整した位相制御と、キャリア周波数再生手段８１４で再生した希望波の周波数をローカル周波数制御手段８１５で制御量を調整した周波数制御により、周波数発振器８０１と周波数発振器８０３を制御し、フィードフォワードでＡＰＣ、ＡＦＣの制御信号を得る点にある。
【００５６】
以上説明したように、本発明の第５の実施の形態に係る直交同期検波器８００は、図８に示すように、キャリア位相再生手段によって再生した希望波の位相をローカル位相制御手段によって局所的に位相を制御し、キャリア周波数再生手段によって再生した希望波の周波数をローカル周波数制御手段によって局所的に周波数を制御しているため、精度よく位相および周波数の再生することができる。
【００５７】
図９は、本発明の第６の実施の形態に係る直交同期検波器のブロック構成を示す図である。図９において、直交同期検波器９００は、第１の周波数発振器８０１、第１の乗算器８０２、第２の周波数発振器８０３、９０度移相器８０４、第２の乗算器８０５、第３の乗算器８０６、第１の低域通過フィルタ（以下、ＬＰＦという。）８０７、第２のＬＰＦ８０８、第４の乗算器８０９、微分器８１０、第５の乗算器８１１、ローカル位相設定手段９０２、ローカル位相制御手段８１３、キャリア周波数再生手段８１４、およびローカル周波数制御手段８１５によって構成される。
【００５８】
ここで、本発明の第６の実施の形態に係る直交同期検波器９００を構成する構成手段のうち、上記本発明の第５の実施の形態に係る直交同期検波器８００における構成手段と同様の処理を行うものには同一の符号を付し、その説明を省略する。
【００５９】
ローカル位相設定手段９０２は、手動で位相を設定しローカル位相制御手段８１３へ出力する手段である。
ローカル位相設定手段９０２は、本発明の第５の実施の形態に係る直交同期検波器８００におけるキャリア再生手段８１２の替わりに、位相を設定させ、設定された位相をローカル位相制御手段８１３に出力する手段である。
これにより位相再生をすることなく、再生するキャリア成分の位相および周波数を制御することができ、キャリア再生の容易化が図れる。
【００６０】
図１０は、本発明の第７の実施の形態に係る直交同期検波器のブロック構成を示す図である。図１０において、直交同期検波器１０００は、第１の周波数発振器８０１、第１の乗算器８０２、第２の周波数発振器８０３、９０度移相器８０４、第２の乗算器８０５、第３の乗算器８０６、第１の低域通過フィルタ（以下、ＬＰＦという。）８０７、第２のＬＰＦ８０８、第４の乗算器８０９、微分器８１０、第５の乗算器８１１、キャリア位相再生手段８１２、ローカル位相制御手段８１３、キャリア周波数再生手段８１４、ローカル周波数制御手段８１５、および第２のロ−カル位相制御手段１００１によって構成される。
【００６１】
ここで、本発明の第７の実施の形態に係る直交同期検波器１０００を構成する構成手段のうち、上記本発明の第５の実施の形態に係る直交同期検波器８００における構成手段と同様の処理を行うものには同一の符号を付し、その説明を省略する。
【００６２】
第２のローカル位相制御手段１００１は、キャリア位相再手段生８１２から希望波の位相と第４の乗算器８０９から妨害波の位相を入力とし直交するように制御出力する手段である。
これにより希望波と妨害波が直交するように妨害波の位相を制御することができ、希望波と妨害波の分離の容易化が図れる。
【００６３】
図１１は、本発明の第８の実施の形態に係る直交同期検波器のブロック構成を示す図である。図１１において、直交同期検波器１１００は、第１の周波数発振器８０１、第１の乗算器８０２、第２の周波数発振器８０３、９０度移相器８０４、第２の乗算器８０５、第３の乗算器８０６、第１の低域通過フィルタ（以下、ＬＰＦという。）８０７、第２の低域通過フィルタ８０８、第４の乗算器８０９、微分器８１０、第５の乗算器８１１、ローカル位相設定手段１１１２、ローカル位相制御手段８１３、キャリア周波数再生手段８１４、ローカル周波数制御手段８１５、および第２のローカル位相制御手段１００１によって構成される。
【００６４】
ここで、本発明の第８の実施の形態に係る直交同期検波器１１００を構成する構成手段のうち、上記本発明の第７の実施の形態に係る直交同期検波器１０００における構成手段と同様の処理を行うものには同一の符号を付し、その説明を省略する。
【００６５】
ローカル位相設定手段１１１２は、本発明の第７の実施の形態に係る直交同期検波器１０００におけるキャリア位相再生手段８１２の替わりに、位相を設定させ、設定された位相をローカル位相制御手段８１３および第２のローカル位相制御手段１００１に出力する手段である。
これにより、希望波と妨害波の混在した入力信号に基づいてキャリアの位相再生をすることなく、精度よく位相および周波数の再生すること、および、簡易にキャリアの位相を再生することができる。
【００６６】
図１２は、本発明の第９の実施の形態に係る直交同期検波器のブロック構成を示す図である。図１２において、直交同期検波器１２００は、第１の周波数発振器８０１、第１の乗算器８０２、第２の周波数発振器８０３、９０度移相器８０４、第２の乗算器８０５、第３の乗算器８０６、第１の低域通過フィルタ（以下、ＬＰＦという。）８０７、第２のＬＰＦ８０８、第４の乗算器８０９、第１の微分器８１０、第５の乗算器８１１、キャリア位相再生手段８１２、ローカル位相制御手段８１３、キャリア周波数再生手段８１４、ローカル周波数制御手段８１５、第３の周波数発振器１２０１、第６の乗算器１２０２、第４の周波数発振器１２０３、第２の９０度移相器１２０４、第７の乗算器１２０５、第８の乗算器１２０６、第３のＬＰＦ１２０７、第４のＬＰＦ１２０８、第９の乗算器１２０９、第２の微分器１２１０、第１０の乗算器１２１１、第１の加算器１２１２、および第２の加算器１２１３によって構成される。
【００６７】
ここで、本発明の第９の実施の形態に係る直交同期検波器１２００を構成する構成手段のうち、上記本発明の第５の実施の形態に係る直交同期検波器８００における構成手段と同様の処理を行うものには同一の符号を付し、その説明を省略する。
【００６８】
第３の周波数発振器１２０１は、第９の乗算器１２０９によって出力された信号と、第１０の乗算器１２１１によって出力された信号とを入力し、第９の乗算器１２０９によって出力された信号が有する位相と、第１０の乗算器１２１１によって出力された信号が有する周波数とを有する信号を発生し、発生させた信号を第６の乗算器１２０２に出力する手段である。
【００６９】
第６の乗算器１２０２は、希望波と妨害波が混在する入力信号と、第３の周波数発振器１２０１によって出力された信号とを入力とし、入力されたこれらの信号を掛算し、掛算して得られた信号を第７の乗算器１２０５および第８の乗算器１２０６に出力する手段である。
【００７０】
第４の周波数発振器１２０３は、第９の乗算器１２０９によって出力された信号と、第１０の乗算器１２１１によって出力された信号とを入力し、第９の乗算器１２０９によって出力された信号が有する位相と、第１０の乗算器１２１１によって出力された信号が有する周波数とを有する信号を発生し、発生させた信号を第２の９０度移相器１２０４と第７の乗算器１２０５とに出力する手段である。
【００７１】
第２の９０度移相器１２０４は、第４の周波数発振器１２０３によって出力された信号を入力とし、入力された信号の位相を９０度引き戻して第８の乗算器１２０６に出力する手段である。
第７の乗算器１２０５は、第６の乗算器１２０２によって出力された信号と、第４の周波数発振器１２０３によって出力された信号とを入力とし、入力されたこれらの信号を掛算し、掛算して得られた信号を第３のＬＰＦ１２０７に出力する手段である。
【００７２】
第８の乗算器１２０６は、第６の乗算器１２０２によって出力された信号と、第２の９０度移相器１２０４によって出力された信号とを入力とし、入力されたこれらの信号を掛算し、掛算して得られた信号を第４のＬＰＦ１２０８に出力する手段である。
第３のＬＰＦ１２０７は、第７の乗算器１２０５によって出力された信号を入力とし、入力された信号のうちの低周波数成分を第９の乗算器１２０９および第２の微分器１２１０に出力する手段である。
【００７３】
第４のＬＰＦ１２０８は、第８の乗算器１２０６によって出力された信号を入力とし、入力された信号のうちの低周波数成分を第９の乗算器１２０９および第１０の乗算器１２１１に出力する手段である。
第９の乗算器１２０９は、第３のＬＰＦ１２０７によって出力された低周波数成分からなる信号と、第４のＬＰＦ１２０８によって出力された低周波数成分からなる信号とを入力とし、入力されたこれらの信号を掛算し、掛算して得られた信号を第３の周波数発振器１２０１、第４の周波数発振器１２０３、および第２の加算器１２１３に出力する手段である。
【００７４】
第２の微分器１２１０は第３のＬＰＦ１２０７によって出力された低周波数成分からなる信号を入力とし、入力された信号を微分して位相の微係数に関する情報を含む信号を生成し、生成された信号を第１０の乗算器１２１１に出力する手段である。
第１０の乗算器１２１１は、第４のＬＰＦ１２０８によって出力された信号と、第２の微分器１２１０によって出力された位相の微係数に関する情報を含む信号とを入力とし、入力されたこれらの信号を掛算し、掛算して得られた信号を第３の周波数発振器１２０１、第４の周波数発振器１２０３、および第１の加算器１２１２に出力するための手段である。
【００７５】
第１の加算器１２１２は、第５の乗算器８１１によって出力された信号と、第１０の乗算器１２１１によって出力された信号とを入力とし、第１０の乗算器１２１１によって出力された信号から第５の乗算器８１１によって出力された信号を差し引き、差し引いて得られた信号を周波数制御信号（図１２に、ＡＦＣとして示す。）として出力する手段である。
【００７６】
第２の加算器１２１３は、第４の乗算器８０９によって出力された信号と、第９の乗算器１２０９によって出力された信号とを入力とし、第９の乗算器１２０９によって出力された信号から第４の乗算器８０９によって出力された信号を差し引き、差し引いて得られた信号を位相制御信号（図１２に、ＡＰＣとして示す。）として出力する手段である。
【００７７】
第１０の乗算器１２１１は、第４のＬＰＦ１２０８によって出力された信号と、第２の微分器１２１０によって出力された位相の微係数に関する情報を含む信号とを入力とし、入力されたこれらの信号を掛算し、掛算して得られた信号を周波数制御信号（図１２に、ＡＦＣとして示す。）として出力するための手段である。
【００７８】
以上説明したように、本発明の第９の実施の形態に係る直交同期検波器１２００は、図１２に示すように、１つめのコスタスループによって希望波と妨害波の影響が混在した周波数制御信号と位相制御信号を生成し、２つめのコスタスループで希望波に対する周波数制御信号と位相制御信号を生成し、１つめのコスタスループの制御信号から希望波に対する制御信号を減算することにより、妨害波に対する周波数制御信号と位相制御信号を得ることができる。
【００７９】
図１３は、本発明の第１０の実施の形態に係るレイク受信機のブロック構成を示す図である。図１３において、レイク受信機１３００は、ｎ個のタップ付き遅延線１３１０−１〜１３１０−ｎ、２ｎ個の乗算器１３２１−１〜１３２１−ｎ、１３２２−１〜１３２２−ｎ、第１の加算器１３３１、第２の加算器１３３２、減算器１３４０、およびサンプリング手段１３５０によって構成される。
【００８０】
タップ付き遅延線１３１０−１〜１３１０−ｎは、入力された信号に対してマルチパスの遅延補正を行い、遅延補正後の信号を出力する手段である。したがって、タップ付き遅延線１３１０−１は、希望波と妨害波が混在する入力信号に対してマルチパスの遅延補正を行い、遅延補正後の信号をタップ付き遅延線１３１０−２、乗算器１３２１−２、および乗算器１３２２−１に出力するものである。
【００８１】
乗算器１３２１−１〜１３２１−ｎは、入力された信号を掛算し、掛算して得られた信号を第１の加算器１３３１に出力する手段である。
乗算器１３２２−１〜１３２２−ｎは、入力された信号を掛算し、掛算して得られた信号を第２の加算器１３３２に出力する手段である。
第１の加算器１３３１は、乗算器１３２１−１〜１３２１−ｎによって出力された信号を加算し、減算器１３４０に出力する手段である。
【００８２】
第２の加算器１３３２は、乗算器１３２２−１〜１３２２−ｎによって出力された信号を加算し、減算器１３４０に出力する手段である。
減算器１３４０は、第１の加算器１３３１によって出力された信号を第２の加算器１３３２によって出力された信号から減算し、減算して得られた信号をサンプリング手段１３５０に出力するための手段である。
サンプリング手段１３５０は、減算器１３４０によって出力された信号を入力とし、入力された信号をサンプリングし、サンプリングして得られた信号を出力するための手段である。
【００８３】
したがって、本発明の第１０の実施の形態に係るレイク受信機１３００は、入力された信号に対し、複数のタップ付き遅延線を用いてマルチパスの遅延補正を行い、補正後の信号とそれぞれのマルチパス信号に対応した拡散信号と掛算し、加算し、加算して得られた信号を減算してサンプリングすることによって、それぞれ異なるパスで到来する信号を合成するものである。
【００８４】
以上説明したように、本発明の第１０の実施の形態に係るレイク受信機は、従来のレイク受信機に含まれた二乗回路と積分器を含むことなく実現できる。
【００８５】
図１４は、本発明の第１１の実施の形態に係るレイク受信機のブロック構成を示す図である。図１４において、レイク受信機１４００は、本発明の第９の実施の形態に係る直交同期検波器１２００、周波数発振器１４０１、９０度移相器１４０２、第１の乗算器１４０３、第２の乗算器１４０４、第１の低域通過フィルタ（以下、ＬＰＦという。）１４０５、第２のＬＰＦ１４０６、第１の加算器１４０７、第２の加算器１４０８、本発明の第１０の実施の形態に係るレイク受信機１３００、位相回転補正手段１４０９、およびドップラーシフト波再生手段１４１０によって構成される。
【００８６】
本発明の第９の実施の形態に係る直交同期検波器１２００、および本発明の第１１の実施の形態に係るレイク受信機１３００については、上記の実施の形態において説明したものと同一であり、その説明は省略する。
【００８７】
周波数発振器１４０１は、位相回転補正手段１４０９によって出力された信号を入力し、位相回転補正手段１４０９によって出力された信号が有する位相に応じた位相の信号を発生し、発生させた信号を９０度移相器１４０２と第１の乗算器１４０３とに出力する手段である。
９０度移相器１４０２は、周波数発振器１４０１によって出力された信号を入力とし、入力された信号の位相を９０度引き戻して第２の乗算器１４０４に出力する手段である。
【００８８】
第１の乗算器１４０３は、希望波と妨害波が混在する入力信号と、周波数発振器１４０１によって出力された信号とを入力とし、入力されたこれらの信号を掛算し、掛算して得られた信号を第１のＬＰＦ１４０５に出力する手段である。
第２の乗算器１４０４は、希望波と妨害波が混在する入力信号と、９０度移相器１４０２によって出力された信号とを入力とし、入力されたこれらの信号を掛算し、掛算して得られた信号を第２のＬＰＦ１４０６に出力する手段である。
【００８９】
第１のＬＰＦ１４０５は、第１の乗算器１４０３によって出力された信号を入力とし、入力された信号のうちの低周波数成分を第１の加算器１４０７に出力する手段である。
第２のＬＰＦ１４０６は、第２の乗算器１４０４によって出力された信号を入力とし、入力された信号のうちの低周波数成分を第２の加算器１４０８に出力する手段である。
【００９０】
第１の加算器１４０７は、第１のＬＰＦ１４０５によって出力された低周波数成分の信号と、ドップラーシフト波再生手段１４１０によって出力されたドップラーシフト波に関する信号とを入力とし、第１のＬＰＦ１４０５によって出力された低周波数成分の信号からドップラーシフト波を除去し、本発明の第１０の実施の形態に係るレイク受信機１３００に出力するための手段である。
【００９１】
第２の加算器１４０８は、第２のＬＰＦ１４０６によって出力された低周波数成分の信号と、ドップラーシフト波再生手段１４１０によって出力されたドップラーシフト波に関する信号とを入力とし、第２のＬＰＦ１４０６によって出力された低周波数成分の信号からドップラーシフト波を除去し、本発明の第１０の実施の形態に係るレイク受信機１３００に出力するための手段である。
【００９２】
位相回転補正手段１４０９は、本発明の第９の実施の形態に係る直交同期検波器１２００によって出力される位相制御信号および周波数制御信号を入力とし、入力されたこれらの信号に基づいて妨害波の位相回転補正のための信号を生成し、周波数発振器１４０１に出力するための手段である。
ドップラーシフト波再生手段１４１０は、本発明の第９の実施の形態に係る直交同期検波器１２００によって出力される位相制御信号および周波数制御信号を入力とし、入力されたこれらの信号に基づいてドップラーシフト波を再生し、再生したドップラーシフト波に関する信号を第１の加算器１４０７と第２の加算器１４０８とに出力する。
【００９３】
以上説明したように、本発明の第１１の実施の形態に係るレイク受信機１４００は、希望波と妨害波の混在した入力信号に対して妨害波についての位相を補正するための手段と、ドップラーシフト成分を補正するための手段とを設けたため、直交同期検波器の基準信号位相の回転、ドップラーシフトによる符号間干渉、マルチパスによる符号間干渉の各影響を軽減が図れ、より精度よく希望波に含まれている情報を抽出することができる。
【００９４】
図１５は、本発明の第１２の実施の形態に係る干渉波キャンセラのブロック構成を示す図である。本発明の第１２の実施の形態に係るの干渉波キャンセラ１５００は、本発明の第１１の実施の形態に係るレイク受信機１４００を構成する、本発明の第１０の実施の形態に係るレイク受信機１３００をＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ）復調器１５０１に替え、ドップラーシフト波再生手段１４１０を干渉波再生手段１５０２に替えたものである。
【００９５】
干渉波キャンセラ１５００を構成する手段のうち、ＯＦＤＭ復調器１５０１および干渉波再生手段１５０２を除く手段は、本発明の第１１の実施の形態において説明したものと同様であるため、その説明を省略する。
ＯＦＤＭ復調器１５０１は、受信したＯＦＤＭ波を復調するための手段である。
【００９６】
干渉波再生手段１５０２は、本発明の第９の実施の形態に係る直交同期検波器１２００によって出力される位相制御信号および周波数制御信号を入力とし、入力されたこれらの信号に基づいてマルチパスによる干渉波を再生し、再生した干渉波に関する信号を第１の加算器１４０７と第２の加算器１４０８とに出力する。
【００９７】
以上説明したように、本発明の第１２の実施の形態に係る干渉波キャンセラ１５００は、干渉波再生手段により干渉波を再生し、ＯＦＤＭ復調器の入力段において干渉波をキャンセルするため、干渉渡波による直交同期検波器の基準信号位相の回転と符号間干渉の軽減が図れ、より精度よく希望波に含まれている情報を抽出することができる。
【００９８】
図１６は、本発明の第１３の実施の形態に係るインピーダンス測定器のブロック構成を示す図である。本発明の第１３の実施の形態に係るインピーダンス測定器は、被測定物に測定と用いる周波数と同一または近接する周波数の信号が存在する場合におけるインピーダンス測定に用いるものである。図１６において、インピーダンス測定器１６００は、交流ブリッジ１６１０、増幅器１６２０、直交同期検波器１６３０、ロックインアンプ１６４０、レベル調整手段１６５０、および測定信号発生手段１６６０によって構成される。
【００９９】
交流ブリッジ１６１０は、レベル調整手段１６５０を介して測定用信号が供給され、入力端子１６０１に被測定対象が接続された場合に生じる不平衡信号を増幅器１６２０に出力する手段である。
増幅器１６２０は、交流ブリッジ１６１０によって出力された不平衡信号を増幅し、直交同期検波器１６３０に出力するための手段である。ここで、増幅器１６２０からの出力には、被測定物に測定と用いる周波数と同一または近接する周波数の信号が存在するため、測定信号と同一の周波数または近接する周波数の測定の妨げとなる信号が含まれる。
【０１００】
直交同期検波器１６３０は、増幅器１６２０によって出力された信号を同期検波し、検波後の信号のうちの測定信号が含まれるいずれか一方の信号成分をロックインアンプ１６４０と測定信号発生手段１６６０とに出力する。
ロックインアンプ１６４０は、直交同期検波器１６３０によって出力される信号と、測定信号発生手段１６６０によって出力される信号とを入力とし、測定信号発生手段１６６０によって出力された信号を参照信号としてロックイン動作を行い、直交同期検波器１６３０に含まれる参照信号成分を抽出し、出力する手段である。
【０１０１】
測定信号発生手段１６６０は、直交同期検波器１６３０によって出力された信号に応じて入力端子１６０１に接続された被測定物に存在する信号が測定の妨げとならないように位相等を調整して測定信号を発生し、レベル調整手段１６５０に出力するための手段である。ここで、「入力端子１６０１に接続された被測定物に存在する信号が測定の妨げとならないように」とは、例えば、測定信号の位相が被測定物に存在する信号の位相と直交するように制御し、直交同期検波器１６３０による直交同期検波で測定信号成分のみを抽出してロックインアンプ１６４０に出力するようにすることによって実現できる。
【０１０２】
レベル調整手段１６５０は、測定信号発生手段１６６０によって出力された測定用信号のレベルを調整し、交流ブリッジ１６１０に出力するための手段である。したがって、以上の構成によって、被測定物に存在する測定の妨げとなる信号があっても、測定信号と直交する位相にすることができる。
【０１０３】
図１７は、本発明の第１３の実施の形態に係るインピーダンス測定器における直交同期検波器１６３０のブロック構成を示す図である。
直交同期検波器１６３０は、位相同期ループ１７０１、位相検出手段１７０２、メモリ１７０３、第２の加算器１７０４、第１の加算器１７０５、第１の乗算器１７０６、９０度移相器１７０７、第１の低域通過フィルタ（以下、ＬＰＦという。）１７０８、第２の乗算器１７０９、第２のＬＰＦ１７１０、第１の周波数発振器１７１１、第２の周波数発振器１７１２、第３の乗算器１７１３、および第３のＬＰＦ１７１４によって構成される。
【０１０４】
位相同期ループ１７０１は、増幅器１６２０によって出力された信号を入力とし、入力された信号と位相同期させ、位相同期した信号を位相検出手段１７０２と第２の加算器１７０５とに出力する手段である。
位相検出手段１７０２は、位相同期ループ１７０１によって出力された位相同期した信号を入力とし、入力された信号の位相を検出し、検出した位相に関する情報をメモリ１７０３に出力する手段である。
【０１０５】
メモリ１７０３は、位相検出手段１７０２によって検出された位相に関する情報を記憶するためのメモリである。
第２の加算器１７０４は、メモリ１７０３に記憶された位相に関する情報と、測定信号による位相回転量とを入力とし、検出された位相から上記の位相回転量を差し引き、差し引いて得られた情報を含む信号を第１の加算器１７０５に出力する手段である。
【０１０６】
第１の加算器１７０５は、位相同期ループ１７０１によって出力された位相同期のとれた信号と、第２の加算器１７０４によって出力された信号とを入力とし、位相同期のとれた信号の位相から第２の加算器１７０４によって出力された信号の位相を差し引いた信号を生成し、第１の乗算器１７０６、９０度移相器１７０７とに出力する手段である。
【０１０７】
第１の乗算器１７０６は、増幅器１６２０によって出力された信号と第１の加算器１７０５によって出力された信号とを入力とし、入力されたこれらの信号を掛算し、掛算して得られた信号を第２の乗算器１７０８に出力する手段である。第１のＬＰＦ１７０８は、第１の乗算器１７０６によって出力される信号を入力とし、入力された信号のうちの低周波数成分の信号を同相軸信号として出力する手段である。
【０１０８】
９０度移相器１７０７は、第１の加算器１７０５によって出力された信号を入力とし、入力された信号の位相を９０度引き戻して第２の乗算器１７０９と第２の周波数発振器１７１２とに出力するための手段である。
第２の乗算器１７０９は、増幅器１６２０によって出力された信号と、９０度移相器１７０７によって出力された信号とを入力とし、入力されたこれらの信号を掛算し、掛算して得られた信号を第２のＬＰＦ１７１０に出力するための手段である。
【０１０９】
第２のＬＰＦ１７１０は、第２の乗算器１７０９によって出力された信号を入力とし、入力された信号のうちの低周波数成分の信号を直交軸信号として出力するための手段である。
第１の周波数発振器１７１１は、第１の加算器１７０５によって出力された信号の位相に応じた信号を生成し、生成した信号を第３の乗算器１７１３に出力する手段である。
【０１１０】
第２の周波数発振器１７１２は、９０度移相器１７０７によって出力された信号の位相に応じた信号を生成し、生成した信号を第３の乗算器１７１３に出力する手段である。
第３の乗算器１７１３は、第１の周波数発振器１７１１によって出力された信号と、第２の周波数発振器１７１２によって出力された信号とを掛算し、掛算して得られた信号を第３のＬＰＦ１７１４に出力するための手段である。
【０１１１】
第３のＬＰＦ１７１４は、第３の乗算器１７１３によって出力された信号を入力とし、入力された信号のうちの低周波数成分の信号を測定信号発生手段１６６０に出力する手段である。第３のＬＰＦ１７１４によって出力される信号に基づいて、測定信号発生手段１６６０は、測定用信号の位相を調整する。
図１８は、測定用信号があるときとないときの同相軸と直交軸との関係を示す説明図である。
【０１１２】
なお、上記の被測定物は、所定のネットワークであり、インピーダンス測定に妨害を与える妨害信号を反射信号検出端子経由で検出し、上記の測定用信号をブリッジの進行信号端子に供給し、反射信号検出端子経由で検出されて上記の直交同期検波器に入力され、直交同期検波器によって生成された直交軸成分の信号と、進行信号端子に供給された測定用信号とに基づいて反射係数を測定するものであっても良い。
【０１１３】
また、上記のインピーダンス測定器は、測定用信号に妨害を与える妨害信号を被測定物接続端子経由で検出し、測定用信号が上記の被測定物接続端子の一つの端子に接続され、被測定物接続端子の残りの端子に直交同期検波器が接続され、直交同期検波器による直交同期検波によって得られた直交軸成分の信号の振幅が所定値以下となるようにベクトル比検出を行うものであっても良い。
【０１１４】
また、上記のインピーダンス測定器は、Ｉ−Ｖ法、およびＲＦ−ＩＶ法に基づいてインピーダンスを測定し、測定用信号に妨害を与える妨害信号を被測定物接続端子で検出し、測定用信号を電流または電圧検出用抵抗に接続し、電流計電圧計端子の各々に上記の直交同期検波器を接続し、各直交同期検波器によって得られる直交軸成分の信号を電圧計および電流計に出力することにより、測定用信号の電圧または電流を検出するものであっても良い。
【０１１５】
また、上記のインピーダンス測定器は、さらに、測定用信号に妨害を与える妨害信号のキャリア周波数とキャリア位相を再生するための周波数および位相を検出し、検出した妨害信号に基づいて検出した妨害信号を復調して再変調した信号を減算することにより、変調成分を除去する手段を備えたものであっても良い。
【０１１６】
また、上記のインピーダンス測定器は、さらに、妨害信号に基づいて妨害信号を復調して再変調した信号を減算することによって変調成分を除去し、変調成分を除去した後の信号を測定用信号とするものであっても良い。
また、上記のインピーダンス測定器は、妨害信号を測定回路、または空中線とは別の回路、または空中線により取り出すものであっても良い。
【０１１７】
また、上記のインピーダンス測定器は、放送波へ与える妨害を軽減するため、測定用信号が妨害を与える周波数成分中に放送内容に応じて上記の周波数成分を含む信号を発生し、測定用信号が妨害を与える影響を軽減するものであっても良い。
また、上記のインピーダンス測定器は、さらに、指定した周波数幅を指定した間隔で測定周波数を掃引させる手段を備え、インピーダンス測定によって得られる結果を画面表示、保存、または印字出力するものであっても良い。
【０１１８】
以上説明したように、本発明の第１３の実施の形態に係るインピーダンス測定器は、上記本発明の第１の実施の形態から本発明の第８の実施の形態に係る直交同期検波器を用いることにより、直交同期検波器の基準信号の位相が測定信号の有無で変化しないように制御できるため、図１９に示すように被測定物に存在する測定の妨げとなる信号と測定信号とが直交するため検波でき、直交同期検波器の直交軸には交流ブリッジ通過後の測定信号が得られ、これをロックインアンプで選択した復調周波数成分を増幅し、この出力が最小点になることをオシロスコープやレベルメータで検出することで交流ブリッジの平衡点を得ることができる。
【０１１９】
また、本発明によるインピーダンス測定器をネットワーク法に適応するインピーダンス測定器は、測定信号に妨害を与える妨害信号を反射信号検出端子から検出し、測定信号を進行信号端子に接続し、反射信号検出端子を直交同期検波に接続した直交軸出力の信号と進行端子に接続した測定信号から反射係数を測定するものである。
【０１２０】
また、本発明によるインピーダンス測定器を自動平衡ブリッジ法に適応するインピーダンス測定器は、測定信号に妨害を与える妨害信号を被測定物接続端子で検出し、測定信号を被測定物接続端子の一つの端子に接続し、被測定物接続端子の残りの端子に直交同期検波を接続し、直交同期検波直交軸の振幅が最小となるよでうにベクトル比検出を行うものである。
【０１２１】
また、本発明によるインピーダンス測定器をＩ−Ｖ法、およびＲＦ−ＩＶ法に適応するインピーダンス測定器は、測定信号に妨害を与える妨害信号を被測定物接続端子で検出し、測定信号を電流、電圧検出用抵抗に接続し、電流計、電圧計端子の各々に直交同期検波を接続し、各直交同期検波直交軸出力を電圧計、電流計に接続することにより、測定信号の電圧、電流を検出するものである。
【０１２２】
また、本発明によるインピーダンス測定器は、周波数・位相検出により、到来受信波のキャリア周波数とキャリア位相を再生するために、図２０に示すように、検出した到来受信波を復調２００２し、位相反転２００３して再変調２００４した信号を到来受信波を遅延２００１した信号から減算２００５することにより、変調成分を除去することが可能である。
【０１２３】
また、本発明によるインピーダンス測定器は、到来受信波を被測定物、または被測定空中線とは別の回路、または空中線により取り出すことが可能である。
また、本発明によるインピーダンス測定器は、放送波へ与える妨害を軽減するため、測定信号が妨害を与える周波数成分に放送による周波数成分が発生した場合のみ測定信号を発生し、測定信号が妨害を与える影響を軽減することが可能である。
【０１２４】
また、本発明によるインピーダンス測定器は、指定した周波数幅を指定した間隔で測定周波数を自動で掃引し、結果を画面表示、保存、印字出力することが可能である。
【０１２５】
なお、本発明の第１の実施の形態〜本発明の第９の実施の形態において、希望波の抽出および妨害波の抽出は、例えば、笹岡著、「移動通信」、オーム社、平成１１年３月、２７８−２７９頁に開示された技術におけるように、フレームの先頭にトレーニング系列を挿入し、遅延プロファイルを検出する方法を用いるのでも良いが、同様なことが実現できる他の方法でも良い。
【０１２６】
以下、本発明の効果をわかりやすく説明するために、簡単な例を用いて、数式により説明する。このため、直交同期検波器の入力信号を例えばＡＭ変調波とした例を用い、Ｓ０を入力信号、Ａを希望波の送信キャリアレベル、Ａｍ＊ｃｏｓ（２＊π＊ｆｍ＊ｔ）を希望波の変調波、ｆ０を送信キャリア周波数、ｆａｉ０を送信キャリア位相、Ｂｏｕｇａｉを妨害波のキャリアレベル、ｆ０＋ｄｅｌｆを妨害波のキャリア周波数、ｆａｉＢｏｕｇａｉを妨害波のキャリア位相、ｓ１（＝Ｂ＊ｃｏｓ（２＊π＊ｆ１＊ｔ＋ｆａｉ１））を第１の発振信号、ｓ２（＝Ｃ＊ｃｏｓ（２＊π＊ｆ２＊ｔ＋ｆａｉ２））を同相軸基準信号の発振信号、ｓｓ２（＝Ｃ＊ｓｉｎ（２＊π＊ｆ２＊ｔ＋ｆａｉ２））を直交軸基準信号の発振信号とすると、下記の信号を得る。
【数２】
2004064682.tif 000004
【数３】
2004064682.tif 000005
【数４】
2004064682.tif 000006
ここで、希望波のみを処理した場合、下記の信号を得る。
【数５】
2004064682.tif 000007
したがって、妨害波による影響は、下記となる。
【数６】
2004064682.tif 000008
本発明の例として、本発明により、ｆａｉ１＝ｆａｉ２＝ｆａｉ０、（簡易化のため、ｄｅｌｆ＝０）とする信号処理を行うとすると、ＡＰＣは誤差によるＡＰＣのみとなる。
【数７】
2004064682.tif 000009
ここで、数値を具体的に、Ａｍ＝１、ｆｍ＝１０００、ｆａｉＢｏｕｇａｉ＝π／４、Ｂｏｕｇａｉ＝０．５とし、ｆａｉ１＝ｆａｉ２＝ｆａｉ０とすると、図２１に示すようなＡＰＣは、妨害波のみの影響による信号となる。
さらにｆ１＋ｆ２→ｆ０とすると、ＡＦＣは誤差によるＡＦＣのみとなる。
【数８】
2004064682.tif 000010
ここで、数値を具体的に、ｆ０＝２００００、ｆ１＝ｆ０−１００００とすると、ＡＦＣは図２２に示すような信号となる。
本発明で、Ｂｏｕｇａｉ＝０、ｆａｉＢｏｕｇａｉ＝０とする信号処理を行った場合、ＡＦＣ信号は、以下の式で表される。
【数９】
2004064682.tif 000011
これを、ｆａｉ０＝０、ｆａｉ１＝π／４、ｆａｉ２＝０としてプロットすると、図２３に示すような信号となる。
この条件で妨害波の振幅を０．５とすると、図２４に示すような妨害波の影響がＡＦＣ出力に発生する。
ここで、本発明により、ｆａｉＢｏｕｇａｉをｆａｉ０と比較してπ／２シフトするように信号処理をすると、図２５に示すように妨害波の影響はなくなる。
【０１２７】
【発明の効果】
以上説明したように、本発明は、妨害波の影響を適切に除去し、希望波成分の抽出を可能とする直交同期検波器、直交同期検波器を使用したレイク受信器、干渉波キャンセラ、およびインピーダンス測定器を実現することができる。
【図面の簡単な説明】
【図１】本発明の第１の実施の形態に係る直交同期検波器のブロック構成を示す図である。
【図２】本発明の第１の実施の形態に係る直交同期検波器の動作を説明するための説明図である。
【図３】本発明の第２の実施の形態に係る直交同期検波器のブロック構成を示す図である。
【図４】本発明の第２の実施の形態に係る直交同期検波器の動作を説明するための説明図である。
【図５】本発明の第３の実施の形態に係る直交同期検波器のブロック構成を示す図である。
【図６】本発明の第３の実施の形態に係る直交同期検波器の動作を説明するための説明図である。
【図７】本発明の第４の実施の形態に係る直交同期検波器のブロック構成を示す図である。
【図８】本発明の第５の実施の形態に係る直交同期検波器のブロック構成を示す図である。
【図９】本発明の第６の実施の形態に係る直交同期検波器のブロック構成を示す図である。
【図１０】本発明の第７の実施の形態に係る直交同期検波器のブロック構成を示す図である。
【図１１】本発明の第８の実施の形態に係る直交同期検波器のブロック構成を示す図である。
【図１２】本発明の第９の実施の形態に係る直交同期検波器のブロック構成を示す図である。
【図１３】本発明の第１０の実施の形態に係るレイク受信機のブロック構成を示す図である。
【図１４】本発明の第１１の実施の形態に係るレイク受信機のブロック構成を示す図である。
【図１５】本発明の第１２の実施の形態に係る干渉波キャンセラのブロック構成を示す図である。
【図１６】本発明の第１３の実施の形態に係るインピーダンス測定器のブロック構成を示す図である。
【図１７】本発明の第１３の実施の形態に係るインピーダンス測定器を構成する直交同期検波器のブロック構成を示す図である。
【図１８】本発明の第１３の実施の形態に係るインピーダンス測定器の動作を説明するための図である。
【図１９】本発明の第１３の実施の形態に係るインピーダンス測定器の動作を説明するための図である。
【図２０】本発明の第１３の実施の形態に係るインピーダンス測定器に用いられる妨害信号を除去する手段のブロック構成を示す図である。
【図２１】本発明の効果についての説明図である。
【図２２】本発明の効果についての説明図である。
【図２３】本発明の効果についての説明図である。
【図２４】本発明の効果についての説明図である。
【図２５】本発明の効果についての説明図である。
【符号の説明】
１００、３００、５００、７００、８００、９００、１０００、１１００、１２００　直交同期検波器
１０１、７０２　位相検出手段
１０２、１０５、５０２、７０３、１７０３　メモリ
１０３　遅延プロファイル検出手段
１０４　位相回転量算出手段
１０６、７０４、７０５、１２１２、１２１３、１３４０、１４０７、１４０８、１７０４、１７０５、２００５　減算器
３０２　位相回転手段
３０４、１３３１、１３３２　加算器
５０４　妨害量算出手段
５０５　判定器
７０１、１７０１　位相同期ループ手段
７０２、１７０２　位相検出手段
７０６、８０４、１２０４、１４０２、１７０７　９０度移相器
７０７、７０８、８０２、８０５、８０６、８０９、８１１、１２０２、１２０５、１２０６、１２０９、１２１１、１３２１−１〜１３２１−ｎ、１３２２−１〜１３２２−ｎ、１４０３、１４０４、１７０６、１７０９、１７１３　乗算器
７０９、７１０、８０７、８０８、１２０７、１２０８、１４０５、１４０６、１７０８、１７１０、１７１４　低域通過フィルタ（ＬＰＦ）
８０１、８０３、１２０１、１２０３、１４０１、１７１１、１７１２　周波数発振器
８１０、１２１０　微分器
８１２、１１１２　キャリア位相再生手段
８１３、１００１　ローカル位相制御手段
８１４　キャリア周波数再生手段
８１５　ローカル周波数制御手段
９０２　ローカル位相設定手段
１３００、１４００　レイク受信機
１３１０−１〜１３１０−ｎ　タップ付き遅延線
１３５０　サンプリング手段
１４０９　位相回転補正手段
１４１０　ドップラーシフト波再生手段
１５００　干渉波キャンセラ
１５０１　ＯＦＤＭ復調器
１５０２　干渉波再生手段
１６００　インピーダンス測定器
１６０１　入力端子
１６１０　交流ブリッジ
１６２０　増幅器
１６３０　直交同期検波器
１６４０　ロックインアンプ
１６５０　レベル調整手段
１６６０　測定信号発生手段
２０００　妨害信号除去手段
２００１　遅延手段
２００２　復調手段
２００３　位相反転手段
２００４　再変調手段
【図１】
2004064682.tif 000012
【図２】
2004064682.tif 000013
【図３】
2004064682.tif 000014
【図４】
2004064682.tif 000015
【図５】
2004064682.tif 000016
【図６】
2004064682.tif 000017
【図７】
2004064682.tif 000018
【図８】
2004064682.tif 000019
【図９】
2004064682.tif 000020
【図１０】
2004064682.tif 000021
【図１１】
2004064682.tif 000022
【図１２】
2004064682.tif 000023
【図１３】
2004064682.tif 000024
【図１４】
2004064682.tif 000025
【図１５】
2004064682.tif 000026
【図１６】
2004064682.tif 000027
【図１７】
2004064682.tif 000028
【図１８】
2004064682.tif 000029
【図１９】
2004064682.tif 000030
【図２０】
2004064682.tif 000031
【図２１】
2004064682.tif 000032
【図２２】
2004064682.tif 000033
【図２３】
2004064682.tif 000034
【図２４】
2004064682.tif 000035
【図２５】
2004064682.tif 000036